(57)【要約】【課題】データの符号化方法に応じて無駄な消費電力を低減する。【解決手段】データを記録媒体に記録する記録部２または記録媒体に記録されたデータを取得する取得部２と、記録部２により記録するデータまたは取得部２により取得されたデータの符号化方式を判別する判別部４１と、判別された符号化方式に基づいてデータを復号化または符号化する信号処理部３と、クロック信号に同期して各部を制御する制御部４とを備えた電子機器１において、判別部４１により判別された符号化方式に応じた周波数のクロック信号を制御部４に供給するクロック信号供給部４２を備えさせる。【選択図】        図１
2004220712.tif 000002
【特許請求の範囲】
【請求項１】
データを記録媒体に記録する記録部または記録媒体に記録されたデータを取得する取得部と、前記記録部により記録するデータまたは前記取得部により取得されたデータの符号化方式を判別する判別部と、前記判別部により判別された符号化方式に基づいてデータを復号化または符号化する信号処理部と、クロック信号に同期して前記各部を制御する制御部とを備えた電子機器において、
前記判別部により判別された符号化方式に応じた周波数のクロック信号を制御部に供給するクロック信号供給部を備えたことを特徴とする電子機器。
【請求項２】
請求項１に記載の電子機器において、
前記記録部または取得部は、前記記録媒体に複数形成された記録領域毎にデータの記録または取得を行い、
前記判別部は、前記記録部または取得部により記録領域におけるデータの記録または取得が行われる毎に、次に記録領域に記録または取得するデータの符号化方式を判別することを特徴とする電子機器。
【請求項３】
請求項２に記載の電子機器において、
前記判別部により判別された符号化方式に基づいて、前記記録部または取得部が前記記録領域にデータの記録または取得を行うために要する間隔を測定する測定部を備え、
前記クロック信号供給部は、前記測定部により測定された間隔毎に前記制御部に供給するクロック信号を前記符号化方式に応じて切り換えることを特徴とする電子機器。
【請求項４】
請求項１〜３のいずれか一項に記載の電子機器において、
前記クロック信号供給部は、外部から供給されるクロック信号の周波数を前記判別部により判別される符号化方式に応じた分周比に分周する分周器を備え、この分周器により分周されたクロック信号を前記制御部に供給することを特徴とする電子機器。
【発明の詳細な説明】
【０００１】
【発明の属する技術分野】
本発明は、種々の符号化方式に対応して音声データ等をＭＤ等の記録媒体に記録再生可能な電子機器に関する。
【０００２】
【従来の技術】
従来より、ＭＤ（Ｍｉｎｉ  Ｄｉｓｃ）は小型軽量で携帯性に優れ、且つ、書き換え可能であることから、音声データを記録する記録媒体として広く使用されている。
ＭＤに音声データを記録する際には、ＡＴＲＡＣ（Ａｄａｐｔｉｖｅ  Ｔｒａｎｓｆｏｒｍ    Ａｃｏｕｓｔｉｃ    Ｃｏｄｉｎｇ）、ＡＴＲＡＣ３−ＬＰ２、ＡＴＲＡＣ３−ＬＰ４等の音声圧縮技術が用いられる。ＡＴＲＡＣとは、デジタル音声信号に対するＭＤＣＴ（Ｍｏｄｉｆｉｅｄ  Ｄｉｓｃｒｅｔｅ  Ｃｏｓｉｎｅ  Ｔｒａｎｓｆｏｒｍ）係数を適応ビットに配分してスカラー量子化する高能率符号化方式であり、ＡＴＲＡＣ３−ＬＰ２、ＡＴＲＡＣ３−ＬＰ３はそれぞれＡＴＲＡＣの約２倍、約４倍の圧縮率を実現することができる。
【０００３】
また、近年では、ＳＤカード（Ｓｅｃｕｒｅ  Ｄｉｇｉｔａｌ  Ｃａｒｄ）、ＣＦカード（ＣｏｍｐａｃｔＦｌａｓｈ  Ｃａｒｄ）、メモリスティック（登録商標）等の超小型の記録媒体に、インターネット等を介して取得した音声データをＷＭＡ（Ｗｉｎｄｏｗｓ（登録商標）  Ｍｅｄｉａ  Ａｕｄｉｏ）、ＭＰ３（ＭＰＥＧ  Ａｕｄｉｏ    Ｌａｙｅｒ３）等の各種音声圧縮技術を用いて記録することも行われている。これらの各種データ符号化方式においても異なる圧縮率（ビットレート）でデータを記録することができる。
【０００４】
ところで、所定の符号化方式に従って上記各種記録媒体に音声データの記録または再生を行う電子機器には、音声データの符号化または符号化を行う信号処理回路が設けられる。信号処理回路は符号化方式に応じて分周された分周クロック信号が供給される（例えば、特許文献１参照）。一般に、データ圧縮率の低い符号化方式を採用するほど信号処理回路に供給される分周クロック信号の周波数は高くなり、消費電力も増大する。
【０００５】
【特許文献１】
特開平３−２１３１５６号公報
【０００６】
【発明が解決しようとする課題】
しかしながら、上記従来の電子機器（特許文献１）ではデータ圧縮率に応じて外部クロック信号を適切な周波数にした分周クロック信号が信号処理回路に供給されるが、信号処理回路の符号化復号化処理を制御する制御部は外部クロック信号に同期し、その周波数は符号化方式によらず一定である。外部クロック信号は信号処理回路の最も重い負荷に対応できるように設定されるため、圧縮率の高いデータを記録再生する際、制御部の負荷はそれほど高くないにも関わらず、圧縮率の低いデータを記録再生する場合と同様に電力が消費されていた。
【０００７】
本発明の課題は、データの符号化方式に応じて無駄な消費電力を低減することのできる電子機器を提供することである。
【０００８】
【課題を解決するための手段】
上記課題を解決するために、請求項１記載の発明は、データを記録媒体に記録する記録部または記録媒体に記録されたデータを取得する取得部と、前記記録部により記録するデータまたは前記取得部により取得されたデータの符号化方式を判別する判別部と、前記判別部により判別された符号化方式に基づいてデータを復号化または符号化する信号処理部と、クロック信号に同期して前記各部を制御する制御部とを備えた電子機器において、
前記判別部により判別された符号化方式に応じた周波数のクロック信号を制御部に供給するクロック信号供給部を備えたことを特徴とする。
【０００９】
請求項２記載の発明は、請求項１に記載の電子機器において、
前記記録部または取得部は、前記記録媒体に複数形成された記録領域毎にデータの記録または取得を行い、
前記判別部は、前記記録部または取得部により記録領域におけるデータの記録または取得が行われる毎に、次に記録領域に記録または取得するデータの符号化方式を判別することを特徴とする。
【００１０】
請求項３記載の発明は、請求項２に記載の電子機器において、
前記判別部により判別された符号化方式に基づいて、前記記録部または取得部が前記記録領域にデータの記録または取得を行うために要する間隔を測定する測定部を備え、
前記クロック信号供給部は、前記測定部により測定された間隔毎に前記制御部に供給するクロック信号を前記符号化方式に応じて切り換えることを特徴とする。
【００１１】
請求項４記載の発明は、請求項１〜３のいずれか一項に記載の電子機器において、
前記クロック信号供給部は、外部から供給されるクロック信号の周波数を前記判別部により判別される符号化方式に応じた分周比に分周する分周器を備え、この分周器により分周されたクロック信号を前記制御部に供給することを特徴とする。
【００１２】
【発明の実施の形態】
以下、図を参照して本発明の実施の形態を説明する。
図１に、本実施の形態における電子機器１の機能的構成を示す。
電子機器１は音声データをＡＴＲＡＣ、ＡＴＲＡＣ３−ＬＰ２、ＡＴＲＡＣ３−ＬＰ４のＡＴＲＡＣ系の符号化方式により音声データをエンコード（符号化＝圧縮）して、記録媒体としてのＭＤに記録したり、ＭＤに記録された音声データをその符号化方式に応じてデコード（復号化）して再生するものであり、図１に示すように、ＭＤデータ記録取得部２、デジタル信号処理回路３、システムコントローラ４（制御部）、バッファメモリ５、操作部６、表示部７、外部クロック供給回路等を備えて構成される。
【００１３】
ＭＤデータ記録取得部２は、スピンドルモータ２１と、磁気ヘッド２２と、光ピックアップ２３と、ヘッドドライバ２４と、送りモータ２５と、ＲＦアンプ２６とを備え、デジタル信号処理回路３から入力されるエンコードされた音声データをＭＤに記録させたり、ＭＤに記録されたエンコードされた音声データを取得してデジタル信号処理回路３に供給したりするものである。
【００１４】
ＭＤはデータを書換え可能な光磁気ディスクであり、垂直磁化膜等からなる光磁気記録層を備えている。光磁気記録層には複数のトラックが螺旋状に形成されている。各トラックには、ＵＴＯＣ（Ｕｓｅｒ  Ｔａｂｌｅ    Ｏｆ    Ｃｏｎｔｅｎｔｓ）情報や１曲分の音声データ等のデータが記録されている。ＵＴＯＣ情報はＭＤに記録されたトラック名（曲名）、記録時間、スタートアドレス、エンドアドレス、各トラックに記録された音声データの符号化方式（ＡＴＲＡＣ、ＡＴＲＡＣ３−ＬＰ２、ＡＴＲＡＣ３−ＬＰ４等）等のインデックス情報が含まれ、所定の内周トラック（ＵＴＯＣトラック）に記録される。
【００１５】
各トラックはパートと呼ばれるクラスタの集合体から構成される。１トラックは記録するデータの容量によって１〜２５５パートからなる。１パートはさらにクラスタの集合体から構成されている。１クラスタは３６セクタからなり、そのうちの４セクタは捨てセクタとなる。実データとなる３２セクタは０〜３１までのエリアとして管理され１セクタ単位に格納する情報が定められている。例えば、ＵＴＯＣ情報に含まれるトラック名はセクタ１に格納され、記録時間はセクタ２に格納される等の様になっている。これらセクタ、クラスタ、パート、トラックは記録媒体上に形成されたデータの記録領域である。
【００１６】
なお、ＭＤデータ記録取得部２では、垂直磁化膜等の磁性体は一般に温度が高くなると保磁力が弱くなるという性質（以下、保磁力が弱くなる温度を「キュリー温度」という。）と、垂直磁化膜にキュリー温度に達しない程度の弱いパワーのレーザービームを照射すると、磁化方向の向きによって反射光の偏光面の回転角度が変化するという性質（以下、「カー効果」という。）を利用して、磁気ヘッド２２および光ピックアップ２３等により音声データの記録または取得を行う。
【００１７】
１セクタ当たりの再生時間は再生する音声データの符号化方式（データ圧縮率）によって異なる。１セクタの再生にＡＴＲＡＣの場合は６３．８４ｍｓｅｃ、ＡＴＲＡＣ３−ＬＰ２の場合は１２７．６８ｍｓｅｃ、ＡＴＲＡＣ３−ＬＰ４の場合は２５５．３６ｍｓｅｃ要し、データ圧縮率が高い程、その再生時間は長くなる。同様に１セクタ当たりの記録時間は記録する音声データの符号化方式によって異なる。
【００１８】
スピンドルモータ２１は、ＭＤの記録時および再生時にＭＤを回転させるものである。スピンドルモータ２１がＭＤを回転させる速度は、システムコントローラ４により線速度一定（Ｃｏｎｓｔａｎｔ  Ｌｉｎｅａｒ  Ｖｅｌｏｃｉｔｙ）になるように制御される。
【００１９】
光ピックアップ２３と磁気ヘッド２２はＭＤを挟んで互いに対向して配置される。これらは送りモータ２５によりＭＤの半径方向に移動される。送りモータ２５は後述するサーボコントローラ３５により制御され、光ピックアップ２３のトラッキング動作、フォーカシング動作等を制御する。
【００２０】
磁気ヘッド２２はキュリー温度に達した垂直磁化膜に対して、ＭＤに記録するデータに応じた磁界を与えるもので、いずれか一方の磁極面が垂直磁化膜に対向するように配置されている。
【００２１】
ヘッドドライバ２４は、デジタル信号処理回路３から供給される所定の符号化方式によりエンコードされたデータに応じて、磁気ヘッド２２の磁極面を回転させる。
【００２２】
光ピックアップ２３はレーザダイオードや偏光ビームスプリッタ、対物レンズ、反射光を検出するためのディテクタ等（いずれも図示略）を備え、レーザダイオードから照射される光ビームを偏光ビームスプリッタ、対物レンズ等の光学系によりトラック上のデータ記録／取得位置に照射する。
【００２３】
データ記録時、光ピックアップ２３は、垂直磁化膜がキュリー温度以上になるような強度の光ビームをトラック上のデータ記録位置に照射する。
一方、データ取得時、光ピックアップ２３はキュリー温度に達しない程度の弱い光ビームをトラック上のデータ取得位置に照射し、ディテクタにより反射光を検出する。これにより、ＭＤに記録された音声データ等のデータを取得し、取得したデータはデータ再生情報としてＲＦアンプ２６に供給される。
【００２４】
ＲＦアンプ２６は光ピックアップ２３から供給されたデータ再生情報を演算処理することにより、再生ＲＦ信号、トラッキングエラー信号（ＴＥ）、フォーカスエラー信号（ＦＥ）、グルーブ情報等を抽出し、デジタル信号処理回路３またはシステムコントローラ４に供給する。
【００２５】
再生ＲＦ信号は、ＵＴＯＣ情報やＡＴＲＡＣ情報が含まれている。再生ＲＦ信号は、ＭＤデジタル信号処理回路３のＥＦＭデコーダ３２に供給される。
なお、ＡＴＲＡＣ情報とは、いずれかのＡＴＲＡＣ方式のエンコーダによりエンコードされた圧縮データを指す。
【００２６】
トラッキングエラー信号、フォーカスエラー信号は、光ピックアップ２３のトラッキングエラー、フォーカスエラーを示す信号で、サーボコントローラ３５に供給される。
【００２７】
ＵＴＯＣ情報はシステムコントローラ４に供給される。
【００２８】
グルーブ情報は、ＭＤにプリグルーブとして記録されている絶対位置情報（ＡＤｄｒｅｓｓ    ＩＮ    Ｐｒｅ−ｇｒｏｏｖｅ    ｏｎ    Ｒｅｃｏｒｄａｂｌｅ    Ｄｉｓｃ；ＡＤＩＰ）をいう。このＡＤＩＰ情報は、ＲＦアンプ２６からＡＤＩＰデコーダ３１に供給されてデコードされた後、システムコントローラ４に供給され、光ピックアップ２３のＭＤに対するデータ取得位置の制御に供される。
【００２９】
デジタル信号処理回路３は、ＤＳＰ（Ｄｉｇｉｔａｌ    Ｓｉｇｎａｌ    Ｐｒｏｃｅｓｓｏｒ）等の高速処理可能なマイクロプロセッサにより構成される。デジタル信号処理回路３は、ＡＤＩＰデコーダ３１、ＥＦＭデコーダ３２、ショックプルーフメモリコントローラ３３、ＡＴＲＡＣデコーダ・エンコーダ３４、サーボコントローラ３５を含む。
【００３０】
ＡＤＩＰデコーダ３１は、ＲＦアンプ２６から入力されるＡＤＩＰ情報をデコードしてアドレス情報を抽出する。ＡＤＩＰデコーダ３１はデコードしたアドレス情報をシステムコントローラ４に供給する。
【００３１】
ＥＦＭデコーダ３２は、ＲＦアンプ２６から供給された再生ＲＦ信号を解析した後、エラー訂正し、伸張処理を施してデジタル音声信号であるＡＴＲＡＣ情報およびＵＴＯＣ情報を生成して、ショックプルーフメモリコントローラ３３に供給する。
【００３２】
ショックプルーフメモリコントローラ３３は、ＥＦＭデコーダ３２により提供されるＡＴＲＡＣ情報を一旦バッファメモリ５に蓄積すると共に、バッファメモリ５に蓄積されたＡＴＲＡＣ情報を所定タイミングで読出し、ＡＴＲＡＣデコーダ・エンコーダ３４に供給する。
【００３３】
ＡＴＲＡＣデコーダ・エンコーダ３４は、ショックプルーフメモリコントローラ３３によりバッファメモリ５から読み出されて供給されるＡＴＲＡＣ情報を符号化方式に対応させて伸張処理し、デジタル音声データ形式にデコードした後、Ｄ／Ａコンバータに供給する。Ｄ／Ａコンバータではデコードされたデジタル音声データをアナログ音声データに変換した後、出力端子等の出力先に出力する。
【００３４】
また、ＡＴＲＡＣデコーダ・エンコーダ３４では、ＡＴＲＡＣ情報のデコード時、システムコントローラ４に対してセクタ再生毎にセクタデコード終了割り込み信号を出力する。
【００３５】
サーボコントローラ３５は、ＲＦアンプ２６から供給されたトラッキングエラー信号、フォーカスエラー信号、システムコントローラ４からのトラックジャンプ指令、アクセス指令、送りモータ２５からのモータ回転速度検出情報等により、各種サーボ駆動信号を発生させ、送りモータ２５及び光ピックアップ２３を駆動制御し、フォーカス制御及びトラッキング制御を行う。
【００３６】
バッファメモリ５は、ＥＦＭデコーダ３２によりデコードされたＡＴＲＡＣ情報を一時的に蓄積する。
【００３７】
操作部６は、再生キー、停止キー、サーチキー等の各種入力キーを備え、その押下信号をシステムコントローラ４に供給する。
【００３８】
表示部７は、液晶ディスプレイ等により構成され、システムコントローラ４から入力される表示信号に基づいて、ＭＤの再生又は記録中に所定の表示動作を行う。例えば、再生中のトラック番号、動作状態（早送り、巻き戻し、録音等）、符号化方式に対応した記録モード（ＡＴＲＡＣ  ＳＴＲＥＯ、ＡＴＲＡＣ３−ＬＰ２、ＡＴＲＡＣ−ＬＰ４）、各トラックに記録された音声データ（曲）の再生開始から現時点までに経過した再生時間”０：００”または残り再生時間”―０：００、ＭＤに記録された全トラックの総記録時間、等の各種時間情報等を表示する。
【００３９】
システムコントローラ４は、図１に示す符号化方式判別部４１および分周回路４２、図示しないＣＰＵ（Ｃｅｎｔｒａｌ    Ｐｒｏｃｅｓｓｉｎｇ    Ｕｎｉｔ）、ＲＯＭ（Ｒｅａｄ  ＯｎｌｙＭｅｍｏｒｙ）およびＲＡＭ（Ｒａｎｄｏｍ  Ａｃｃｅｓｓ  Ｍｅｍｏｒｙ）等を備えて構成されたマイコンである。システムコントローラ４は、ＣＰＵにおいて、ＲＡＭの所定領域を作業領域としてＲＯＭに記憶されている各種制御プログラムに従い、各部に制御信号を送って電子機器１の動作全般を制御し、ＭＤに記録された音声データを再生したり、ＭＤに所定の符号化方式で音声データを記録させる。
【００４０】
音声データの記録再生に際して、システムコントローラ４は、デジタル信号処理回路３に対して、ＭＤへの音声データの記録またはＭＤに記録された音声データの再生に際して、トラック等のアドレスサーチの指示、光ピックアップ２３の制御の指示、ＡＴＲＡＣ情報のデコード開始の指示等を行ったり、ＡＤＩＰアドレス情報、ＥＦＭアドレス情報、バッファメモリ５内のＡＴＲＡＣ情報の書込ポインタ、読み出しポインタ等を得たり、デジタル信号処理回路３からのセクタでコード終了割り込み信号の入力を受けると、ＡＤＩＰ情報に基づいて表示部７に再生時間または残り再生時間等を表示させるための時間計算（分秒）等を行う等、ＭＤのデータ再生／記録に係る各種付随処理を実行する。
【００４１】
符号化方式判別部４１は、ＵＴＯＣ情報に基づいて再生または記録するパート又はトラックの音声データの符号化方式を判別する。
【００４２】
本実施の形態において、分周回路４２は外部から供給されるクロック信号の周波数を符号化方式判別部４１により判別された符号化方式に応じて１／Ｌ、１／Ｍ、１／Ｎにする。なお、Ｌ、Ｍ、Ｎはそれぞれ整数であり、１／Ｌ、１／Ｍ、１／Ｎを分周比という。分周比設定処理は後述するように音声再生処理のサブルーチンとして行われ、例えば、ＡＴＲＡＣの場合の分周比を１（１／Ｌ、Ｌ＝１）、ＡＴＲＡＣ３−ＬＰ２の場合の分周比を１／２（１／Ｍ、Ｍ＝２）、ＡＴＲＡＣ３−ＬＰ４の場合の分周比を１／４（１／Ｎ、Ｎ＝４）の様に設定される。
【００４３】
次に、電子機器１における音声データ再生処理を図２に示すフローチャートに基づいて説明する。なお、音声データ再生処理はＲＯＭに記憶された音声データ再生プログラム等の制御プログラムとＣＰＵとの協働によりシステムコントローラ４において実行される。
【００４４】
まず、ＭＤのＵＴＯＣトラックに記録されたＵＴＯＣ情報を取得し、再生すべき先頭のパートに記録された音声データの符号化方式を符号化方式判別部４１により判別させる（ステップＳ１）。
【００４５】
符号化方式判別部４１により判別された符号化方式（ＡＴＲＡＣ  ＳＴＥＲＯ、ＡＴＲＡＣ３−ＬＰ２、ＡＴＲＡＣ３−ＬＰ４）に基づき、分周回路４２により、外部から供給されるクロック信号を符号化方式に応じた分周比に分周する（ステップＳ２）。これにより、システムコントローラ４は分周された分周クロック信号に同期して動作する。
【００４６】
次に、デジタル信号処理回路３のＡＴＲＡＣデコーダ・エンコーダ３４に、パート内のセクタに記録されたデータを符号化方式に応じてデコードさせる（ステップＳ３）。
【００４７】
デジタル信号処理回路３からセクタデコード終了割り込み信号が出力されると（ステップＳ４：Ｙ）、次に再生すべきパートがあるか否かが判別される（ステップＳ５）。
【００４８】
次に再生すべきパートがある場合（ステップＳ５：Ｙ）、ＵＴＯＣ情報に基づいて、符号化方式判別部４１により符号化方式を判別させ（ステップＳ２）、再度、分周比設定処理により、外部クロック信号を所定の分周比に分周する。
一方、次に再生すべきパートがない場合（ステップＳ５：Ｎ）、再生処理を終了する（ステップＳ７）。
【００４９】
次に、図３に示すフローチャートに基づいて、上記ステップＳ２において実行される分周比設定処理について説明する。
【００５０】
分周比設定処理が開始されると、符号化方式判別部４１により、ＵＴＯＣ情報に基づいて符号化方式はＡＴＲＡＣであるか否かが判別される（ステップＳ２１）。符号化方式がＡＴＲＡＣである場合（ステップＳ２１：Ｙ）、分周比は１／Ｌに設定される（ステップＳ２２）。
【００５１】
次に、符号化方式がＡＴＲＡＣでない場合（ステップＳ２１：Ｎ）、その符号化方式がＡＴＲＡＣ３−ＬＰ２であるか否かが判別される（ステップＳ２３）。ここで、符号化方式がＡＴＲＡＣ３−ＬＰ２であると判別された場合（ステップＳ２３：Ｙ）、外部クロック信号の分周比は１／Ｍに設定される（ステップＳ２４）。
【００５２】
次に、符号化方式がＡＴＲＡＣ３−ＬＰ２でない場合（ステップＳ２３：Ｎ）、その符号化方式はＡＴＲＡＣ３−ＬＰ４であると判別され、外部クロック信号の分周比は１／Ｎに設定される（ステップＳ２５）。
【００５３】
なお、音声データ再生処理についてのみ説明したが、音声データをＭＤに記録する場合も、以上と同様にして符号化方式判別部４１により音声データの符号化方式が判別され、判別された符号化方式に応じて外部クロック信号が分周されてシステムコントローラ４に供給される。
【００５４】
以上説明した電子機器１によれば、ＡＴＲＡＣ、ＡＴＲＡＣ３−ＬＰ２、ＡＴＲＡＣ３−ＬＰ４の様に、データ圧縮率が異なる符号化方式を用いて音声データの再生または記録を行う際に、符号化方式に応じた周波数を有する分周クロック信号をシステムコントローラ４に供給するので、システムコントローラ４の負荷を低減することができる。
【００５５】
つまり、電子機器１では、デジタル信号処理回路３に供給するクロック信号を符号化方式に応じて切り換えるのではなく、システムコントローラ４に供給するクロック信号の周波数を切り換えるので、ＭＤの再生／記録処理に限らず、システムコントローラ４から供給される制御信号に基づいて実行される時間表示処理やエラー訂正のリカバリー処理等の各種付随処理の処理速度を符号化方式に応じて可変させることができる。
【００５６】
これにより、システムコントローラ４の負荷の低い場合（ＡＴＲＡＣ３−ＬＰ２、ＡＴＲＡＣ３−ＬＰ４でデータの記録再生を行う場合）にも、システムコントローラ４の負荷が最も高くなる場合（ＡＴＲＡＣでデータの記録再生を行う場合等）に合わせた周波数のクロック信号をシステムコントローラ４に常に供給していた場合と異なり、システムコントローラ４を符号化方式に応じた周波数のクロック信号に基づいて動作させることができるので、無駄な消費電力を削減することができる。
【００５７】
また、トラック、パート等の記録領域毎に、その記録領域に記録されたデータの符号化方式に基づいて常にシステムコントローラ４に適切な周波数を有する分周クロック信号を供給することができる。
【００５８】
【実施例】
以上の電子機器１としての携帯型ＭＤ再生装置において消費電力を測定し、従来の携帯型ＭＤ再生装置の消費電力と比較した。なお、従来の携帯型ＭＤ再生装置とは、符号化方式によらず常に外部クロック信号がシステムコントローラ４に供給されるように構成された以外は本願に係るＭＤ再生装置と同様の構成を備えたものである。
【００５９】
本願に係るＭＤ再生装置においてＡＴＲＡＣ３−ＬＰ４により記録されたデータを再生した場合、２１ｍＷの電力が消費され、そのうちシステムコントローラ４が消費する電力は１ｍＷであった。
これに対して、従来のＭＤ再生装置においてＡＴＲＡＣ３−ＬＰ４により記録されたデータを再生した場合、２４ｍＷの電力が消費され、そのうちシステムコントローラ４が消費する電力は４ｍＷであった。
【００６０】
したがって、本願に係る携帯型ＭＤ再生装置のシステムコントローラ４においては従来のＭＤ再生装置にシステムコントローラに対して、１２．５％の電力削減効果を得ることができた。
【００６１】
なお、本発明は上記実施の形態に限定されるものではなく、本発明の趣旨を逸脱しない範囲において適宜変更可能であるのは勿論である。例えば、上記実施の形態では、ＭＤに音声データ等を記録する場合を例に挙げて説明したが、記録媒体はＭＤに限定されるものではなく、ＳＤカード、ＣＦカード、メモリスティック（登録商標）等であってもよい。また、音声データの記録／再生に使用する符号化方式としてＡＴＲＡＣ、ＡＴＲＡＣ３−ＬＰ２、ＡＴＲＡＣ３−ＬＰ４を例に挙げて説明したが、符号化方式はこれに限定されるものではなく、ＷＭＡ、ＭＰ３等であってもよいのは勿論である。ＷＭＡ、ＭＰ３等についても上記と同様にビットレートの違いによって、システムコントローラ４に供給するクロック信号を適宜分周回路により分周すればよい。
【００６２】
また、セクタデコード割り込み信号が出力される毎に、次に再生すべきパートの符号化方式を判別させるものとしたが、これに限定されるものではない。例えば、符号化方式毎に１セクタの再生時間が異なるので、再生する符号化方式に応じた１パートの再生時間（間隔）を測定しておき、その間隔に基づいて分周比を切り換えるようにしてもよい。
【００６３】
【発明の効果】
本発明の電子機器によれば、記録媒体に記録するデータまたは記録媒体から取得するデータの符号化方式に応じてクロック信号の周波数を切り換えるので無駄な消費電力を低減することができる。
【図面の簡単な説明】
【図１】本発明の一例の電子機器の機能的構成を示すブロック図である。
【図２】図１のシステムコントローラにより実行される音声再生処理の手順を示すフローチャートである。
【図３】図１のシステムコントローラにより実行される分周比設定処理の手順を示すフローチャートである。
【符号の説明】
１    電子機器
２    データ記録取得部（記録部、取得部）
２２  磁気ヘッド
２３  光ピックアップ
３    デジタル信号処理回路
４    システムコントローラ（制御部）
４１  符号化方式判別部
４２  分周回路
【図１】
2004220712.tif 000003
【図２】
2004220712.tif 000004
【図３】
2004220712.tif 000005